(57)【要約】【課題】  自動ログアウトの適切性を向上することができるログインログアウトシステム、電子機器およびログインログアウトプログラムを提供する。【解決手段】  ログインログアウトシステムの画像形成装置は、許可したログインに関連する特定のタイミングでカメラによって撮影された顔画像をサーバーに書き込み、利用者のログインを許可した後、カメラによって撮影された顔画像と、サーバーに記憶されている顔画像とに基づいたＳ７３における顔認証によって利用者が認証されなくなった場合（Ｓ７４でＮＯ）に、利用者をログアウトする（Ｓ７８）ことを特徴とする。【選択図】  図５
2019028719.tif 000002
【特許請求の範囲】
【請求項１】
電子機器と、
カメラと、
記憶デバイスと、
前記電子機器の利用者のログインを制御するログイン制御手段と、
前記利用者の顔画像を管理する顔画像管理手段と、
前記利用者のログアウトを制御するログアウト制御手段と
を備え、
前記顔画像管理手段は、前記ログイン制御手段によって許可されたログインに関連する特定のタイミングで前記カメラによって撮影された前記顔画像を前記記憶デバイスに書き込み、
前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とするログインログアウトシステム。
【請求項２】
前記ログイン制御手段は、前記カメラによって撮影された前記顔画像に基づいた顔認証以外の認証方法によって前記利用者が認証された場合に、前記利用者のログインを許可することを特徴とする請求項１に記載のログインログアウトシステム。
【請求項３】
前記顔画像管理手段は、前記ログアウト制御手段によって前記利用者がログアウトさせられる場合に、前記利用者の前記顔画像を前記記憶デバイスから削除することを特徴とする請求項１または請求項２に記載のログインログアウトシステム。
【請求項４】
前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が特定の時間以上認証されなくなった場合に、前記利用者をログアウトすることを特徴とする請求項１から請求項３までのいずれかに記載のログインログアウトシステム。
【請求項５】
利用者のログインを制御するログイン制御手段と、
前記利用者の顔画像を管理する顔画像管理手段と、
前記利用者のログアウトを制御するログアウト制御手段と
を備え、
前記顔画像管理手段は、前記ログイン制御手段によって許可されたログインに関連する特定のタイミングで前記カメラによって撮影された前記顔画像を記憶デバイスに書き込み、
前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とする電子機器。
【請求項６】
利用者のログインを制御するログイン制御手段と、
前記利用者の顔画像を管理する顔画像管理手段と、
前記利用者のログアウトを制御するログアウト制御手段と
をコンピューターに実現させ、
前記顔画像管理手段は、前記ログイン制御手段によって許可されたログインに関連する特定のタイミングで前記カメラによって撮影された前記顔画像を記憶デバイスに書き込み、
前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とするログインログアウトプログラム。
【発明の詳細な説明】
【技術分野】
【０００１】
本発明は、ログイン中の利用者を自動でログアウトするログインログアウトシステム、電子機器およびログインログアウトプログラムに関する。
【背景技術】
【０００２】
従来、カメラによって撮影された顔画像と、事前に登録された顔画像とに基づいた顔認証によって利用者が認証された場合に、利用者のログインを許可し、利用者のログインを許可した後、カメラによって撮影された顔画像と、事前に登録された顔画像とに基づいた顔認証によって利用者が認証されなくなった場合に、利用者をログアウトする技術が知られている（例えば、特許文献１参照。）。
【先行技術文献】
【特許文献】
【０００３】
【特許文献１】特開２０１７−０７３０６２号公報
【発明の概要】
【発明が解決しようとする課題】
【０００４】
しかしながら、特許文献１に記載された技術においては、事前に登録された顔画像の撮影時がログイン時より大幅に前である場合があるので、例えば、利用者の髪型の変化、利用者の眼鏡の着用の有無の変化など、利用者の外観の変化によって、事前に登録された顔画像と、カメラによって撮影された顔画像とが大幅に異なることがある。そのため、特許文献１に記載された技術においては、実際には同一の利用者であっても、事前に登録された顔画像と、カメラによって撮影された顔画像との相違によって、利用者のログインを不必要に拒否してしまったり、利用者のログインを許可したとしても、その後、利用者を不必要にログアウトしてしまったりする可能性があるという問題がある。
【０００５】
そこで、本発明は、自動ログアウトの適切性を向上することができるログインログアウトシステム、電子機器およびログインログアウトプログラムを提供することを目的とする。
【課題を解決するための手段】
【０００６】
本発明のログインログアウトシステムは、電子機器と、カメラと、記憶デバイスと、前記電子機器の利用者のログインを制御するログイン制御手段と、前記利用者の顔画像を管理する顔画像管理手段と、前記利用者のログアウトを制御するログアウト制御手段とを備え、前記顔画像管理手段は、前記ログイン制御手段によって許可されたログインに関連する特定のタイミングで前記カメラによって撮影された前記顔画像を前記記憶デバイスに書き込み、前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とする。
【０００７】
この構成により、本発明のログインログアウトシステムは、許可したログインに関連する特定のタイミングでカメラによって撮影された顔画像と、カメラによって都度撮影された顔画像とに基づいた顔認証によって利用者が認証されなくなった場合に、利用者をログアウトするので、許可したログインに関連する特定のタイミングから短期間で利用者の外観が大幅に変化しなければ、利用者を不必要にログアウトしない。したがって、本発明のログインログアウトシステムは、自動ログアウトの適切性を向上することができる。
【０００８】
本発明のログインログアウトシステムにおいて、前記ログイン制御手段は、前記カメラによって撮影された前記顔画像に基づいた顔認証以外の認証方法によって前記利用者が認証された場合に、前記利用者のログインを許可しても良い。
【０００９】
この構成により、本発明のログインログアウトシステムは、ログインのための顔画像を記憶する必要がないので、ログインのための顔画像を事前に記憶させる作業負担を無くしたり、ログインのための顔画像が流出するというセキュリティー上のリスクを無くしたり、ログインのための顔画像を記憶するために必要な記憶容量を削減したりすることができる。
【００１０】
本発明のログインログアウトシステムにおいて、前記顔画像管理手段は、前記ログアウト制御手段によって前記利用者がログアウトさせられる場合に、前記利用者の前記顔画像を前記記憶デバイスから削除しても良い。
【００１１】
この構成により、本発明のログインログアウトシステムは、ログアウトのために記憶デバイスに記憶された顔画像をログアウトによって記憶デバイスから削除するので、ログアウトのために記憶デバイスに記憶された顔画像が流出するというセキュリティー上のリスクを軽減したり、ログアウトのための顔画像を記憶するために記憶デバイスに必要な記憶容量をログアウト後に削減したりすることができる。
【００１２】
本発明のログインログアウトシステムにおいて、前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が特定の時間以上認証されなくなった場合に、前記利用者をログアウトしても良い。
【００１３】
この構成により、本発明のログインログアウトシステムは、許可したログインに関連する特定のタイミングでカメラによって撮影された顔画像と、カメラによって都度撮影された顔画像とに基づいた顔認証によって利用者が認証されなくなっても、認証されなくなった時間が特定の時間未満であれば、利用者をログアウトしないので、利便性を向上することができる。
【００１４】
本発明の電子機器は、利用者のログインを制御するログイン制御手段と、前記利用者の顔画像を管理する顔画像管理手段と、前記利用者のログアウトを制御するログアウト制御手段とを備え、前記顔画像管理手段は、前記ログイン制御手段によって許可されたログインに関連する特定のタイミングで前記カメラによって撮影された前記顔画像を記憶デバイスに書き込み、前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とする。
【００１５】
この構成により、本発明の電子機器は、許可したログインに関連する特定のタイミングでカメラによって撮影された顔画像と、カメラによって都度撮影された顔画像とに基づいた顔認証によって利用者が認証されなくなった場合に、利用者をログアウトするので、許可したログインに関連する特定のタイミングから短期間で利用者の外観が大幅に変化しなければ、利用者を不必要にログアウトしない。したがって、本発明の電子機器は、自動ログアウトの適切性を向上することができる。
【００１６】
本発明のログインログアウトプログラムは、利用者のログインを制御するログイン制御手段と、前記利用者の顔画像を管理する顔画像管理手段と、前記利用者のログアウトを制御するログアウト制御手段とをコンピューターに実現させ、前記顔画像管理手段は、前記ログイン制御手段によって許可されたログインに関連する特定のタイミングで前記カメラによって撮影された前記顔画像を記憶デバイスに書き込み、前記ログアウト制御手段は、前記ログイン制御手段によって前記利用者のログインが許可された後、前記カメラによって撮影された前記顔画像と、前記記憶デバイスに記憶されている前記顔画像とに基づいた顔認証によって前記利用者が認証されなくなった場合に、前記利用者をログアウトすることを特徴とする。
【００１７】
この構成により、本発明のログインログアウトプログラムを実行するコンピューターは、許可したログインに関連する特定のタイミングでカメラによって撮影された顔画像と、カメラによって都度撮影された顔画像とに基づいた顔認証によって利用者が認証されなくなった場合に、利用者をログアウトするので、許可したログインに関連する特定のタイミングから短期間で利用者の外観が大幅に変化しなければ、利用者を不必要にログアウトしない。したがって、本発明のログインログアウトプログラムを実行するコンピューターは、自動ログアウトの適切性を向上することができる。
【発明の効果】
【００１８】
本発明のログインログアウトシステム、電子機器およびログインログアウトプログラムは、自動ログアウトの適切性を向上することができる。
【図面の簡単な説明】
【００１９】
【図１】本発明の一実施の形態に係るログインログアウトシステムのブロック図である。
【図２】ＭＦＰである場合の図１に示す画像形成装置のブロック図である。
【図３】図１に示すサーバーのブロック図である。
【図４】利用者がログインする場合の図２に示す画像形成装置の動作のフローチャートである。
【図５】利用者を自動でログアウトする場合の図２に示す画像形成装置の動作のフローチャートである。
【発明を実施するための形態】
【００２０】
以下、本発明の一実施の形態について、図面を用いて説明する。
【００２１】
まず、本実施の形態に係るログインログアウトシステムの構成について説明する。
【００２２】
図１は、本実施の形態に係るログインログアウトシステム１０のブロック図である。
【００２３】
図１に示すように、ログインログアウトシステム１０は、電子機器としての画像形成装置２０と、サーバー３０とを備えている。画像形成装置２０と、サーバー３０とは、ＬＡＮ（Ｌｏｃａｌ  Ａｒｅａ  Ｎｅｔｗｏｒｋ）、インターネットなどのネットワーク１１を介して接続可能である。
【００２４】
ログインログアウトシステム１０は、画像形成装置２０以外にも、１つ以上の画像形成装置を備えることが可能である。ログインログアウトシステム１０に含まれる画像形成装置は、例えば、ＭＦＰ（Ｍｕｌｔｉｆｕｎｃｔｉｏｎ  Ｐｅｒｉｐｈｅｒａｌ）、プリンター専用機、コピー専用機、ファックス専用機、スキャナー専用機などの画像形成装置である。
【００２５】
図２は、ＭＦＰである場合の画像形成装置２０のブロック図である。
【００２６】
図２に示す画像形成装置２０は、種々の操作が入力されるボタンなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、原稿から画像を読み取る読取デバイスであるスキャナー２３と、用紙などの記録媒体に画像を印刷する印刷デバイスであるプリンター２４と、図示していない外部のファクシミリ装置と公衆電話回線などの通信回線経由でファックス通信を行うファックスデバイスであるファックス通信部２５と、ネットワーク１１（図１参照。）経由で、または、ネットワーク１１を介さずに有線または無線によって直接に、外部の装置と通信を行う通信デバイスである通信部２６と、画像形成装置２０の正面に存在している人物の顔画像を撮影可能な位置に設置されたカメラ２７と、各種の情報を記憶する半導体メモリー、ＨＤＤ（Ｈａｒｄ  Ｄｉｓｋ  Ｄｒｉｖｅ）などの不揮発性の記憶デバイスである記憶部２８と、画像形成装置２０全体を制御する制御部２９とを備えているコンピューターである。
【００２７】
記憶部２８は、利用者のログインおよびログアウトを制御するためのログインログアウトプログラム２８ａを記憶している。ログインログアウトプログラム２８ａは、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリーなどの外部の記憶媒体から画像形成装置２０に追加でインストールされても良いし、ネットワーク１１上から画像形成装置２０に追加でインストールされても良い。
【００２８】
記憶部２８は、利用者の認証が実行された時刻を示す認証時刻２８ｂを記憶可能である。
【００２９】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行する。
【００３０】
制御部２９は、ログインログアウトプログラム２８ａを実行することによって、画像形成装置２０の利用者のログインを制御するログイン制御手段２９ａと、画像形成装置２０の利用者の顔画像を管理する顔画像管理手段２９ｂと、画像形成装置２０の利用者のログアウトを制御するログアウト制御手段２９ｃとを実現する。
【００３１】
図３は、サーバー３０のブロック図である。
【００３２】
図３に示すように、サーバー３０は、種々の操作が入力される例えばキーボード、マウスなどの入力デバイスである操作部３１と、種々の情報を表示するＬＣＤなどの表示デバイスである表示部３２と、ネットワーク１１（図１参照。）経由で、または、ネットワーク１１を介さずに有線または無線によって直接に、外部の装置と通信を行う通信デバイスである通信部３３と、各種の情報を記憶する半導体メモリー、ＨＤＤなどの不揮発性の記憶デバイスである記憶部３４と、サーバー３０全体を制御する制御部３５とを備えている。
【００３３】
記憶部３４は、ログインログアウトシステム１０（図１参照。）に含まれる画像形成装置の利用者のログイン時の認証のためのログイン時認証用情報３４ａを記憶している。ログイン時認証用情報３４ａは、カメラによって撮影された顔画像に基づいた顔認証以外の認証方法のための情報である。例えば、ログイン時認証用情報３４ａは、ＩＣ（Ｉｎｔｅｇｒａｔｅｄ  Ｃｉｒｃｕｉｔ）カードの識別情報でも良いし、ＩＤおよびパスワードの組み合わせでも良い。
【００３４】
記憶部３４は、ログインログアウトシステム１０に含まれる画像形成装置の利用者の顔画像３４ｂを記憶可能である。
【００３５】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００３６】
次に、ログインログアウトシステム１０の動作について説明する。
【００３７】
まず、利用者がログインする場合の画像形成装置２０の動作について説明する。
【００３８】
図４は、利用者がログインする場合の画像形成装置２０の動作のフローチャートである。
【００３９】
画像形成装置２０の制御部２９は、ログイン時の認証のためのログイン時認証用情報が入力されることによって利用者からログインが指示されると、図４に示す動作を実行する。
【００４０】
図４に示すように、ログイン制御手段２９ａは、利用者から入力されたログイン時認証用情報をサーバー３０に送信することによって、利用者の認証をサーバー３０に依頼し（Ｓ５１）、サーバー３０による認証の結果を受信したと判断するまで、サーバー３０による認証の結果を受信したか否かを判断する（Ｓ５２）。
【００４１】
ここで、サーバー３０の制御部３５は、利用者の認証が画像形成装置２０から依頼されると、画像形成装置２０から送信されてきたログイン時認証用情報と同一のログイン時認証用情報３４ａを記憶しているか否かを判断する。そして、制御部３５は、画像形成装置２０から送信されてきたログイン時認証用情報と同一のログイン時認証用情報３４ａを記憶している場合には、認証の結果として認証の成功を画像形成装置２０に送信する。一方、制御部３５は、画像形成装置２０から送信されてきたログイン時認証用情報と同一のログイン時認証用情報３４ａを記憶していない場合には、認証の結果として認証の失敗を画像形成装置２０に送信する。
【００４２】
ログイン制御手段２９ａは、サーバー３０による認証の結果を受信したとＳ５２において判断すると、認証の結果として認証の成功を受信したか否かを判断する（Ｓ５３）。
【００４３】
ログイン制御手段２９ａは、認証の結果として認証の成功を受信していない、すなわち、認証の失敗を受信したとＳ５３において判断すると、図４に示す動作を終了する。
【００４４】
ログイン制御手段２９ａは、認証の結果として認証の成功を受信したとＳ５３において判断すると、利用者のログインを許可する（Ｓ５４）。
【００４５】
次いで、顔画像管理手段２９ｂは、Ｓ５４において許可されたログインに関連する特定のタイミングでカメラ２７によって撮影された顔画像をサーバー３０に書き込む（Ｓ５５）。サーバー３０の制御部３５は、画像形成装置２０から書き込みが指示された顔画像を、Ｓ５４においてログインが許可された利用者の識別情報と関連付けて顔画像３４ｂとして記憶する。
【００４６】
ここで、ログインに関連する特定のタイミングとしては、ログイン時、または、ログイン前後の様々なタイミングが考えられる。例えば、ログインに関連する特定のタイミングは、Ｓ５４において利用者のログインが許可された時でも良い。また、ログインに関連する特定のタイミングは、ログインの処理を開始するためのログインボタンが存在する場合には、ログインボタンが押された時でも良い。また、ログインに関連する特定のタイミングは、ログイン時認証用情報がＩＣカードの識別情報である場合には、ログインのために操作部２１のＩＣカードリーダーによってＩＣカードが読み取られた時でも良い。また、ログインに関連する特定のタイミングは、ログイン時認証用情報がＩＤおよびパスワードの組み合わせである場合には、操作部２１からＩＤおよびパスワードの少なくとも１つが入力されている時でも良い。
【００４７】
なお、Ｓ５５においてサーバー３０に書き込まれる顔画像は、１枚でも良いし、互いに異なるタイミングでカメラ２７によって撮影された複数枚でも良い。一般的には、顔認証は、対象の顔画像と、複数枚の顔画像とを比較する構成の方が、対象の顔画像と、１枚の顔画像とを比較する構成よりも、認証の精度が高い。
【００４８】
ログアウト制御手段２９ｃは、Ｓ５５の処理の後、現在時刻を認証時刻２８ｂとして記憶して（Ｓ５６）、図４に示す動作を終了する。
【００４９】
次に、利用者を自動でログアウトする場合の画像形成装置２０の動作について説明する。
【００５０】
図５は、利用者を自動でログアウトする場合の画像形成装置２０の動作のフローチャートである。
【００５１】
画像形成装置２０の制御部２９は、利用者がログインした後、利用者がログアウトするまで、図５に示す動作を実行する。
【００５２】
図５に示すように、ログアウト制御手段２９ｃは、ログイン中の利用者の識別情報をサーバー３０に送信することによって、ログイン中の利用者の顔画像をサーバー３０から取得する（Ｓ７１）。サーバー３０の制御部３５は、画像形成装置２０から送信されてきた識別情報に関連付けて記憶している顔画像３４ｂを、画像形成装置２０に送信する。
【００５３】
ログアウト制御手段２９ｃは、Ｓ７１の処理の後、カメラ２７から顔画像を取得する（Ｓ７２）。
【００５４】
次いで、ログアウト制御手段２９ｃは、Ｓ７１において取得した顔画像と、Ｓ７２において取得した顔画像とに基づいた顔認証を実行する（Ｓ７３）。すなわち、ログアウト制御手段２９ｃは、Ｓ７１において取得した顔画像と、Ｓ７２において取得した顔画像とを比較して、Ｓ７１において取得した顔画像と、Ｓ７２において取得した顔画像との類似度が特定の程度以上である場合に、利用者が認証されたと判断し、Ｓ７１において取得した顔画像と、Ｓ７２において取得した顔画像との類似度が特定の程度未満である場合に、利用者が認証されなかったと判断する。
【００５５】
ログアウト制御手段２９ｃは、Ｓ７３の処理の後、Ｓ７３における顔認証の結果、利用者が認証されたか否かを判断する（Ｓ７４）。
【００５６】
ログアウト制御手段２９ｃは、利用者が認証されたとＳ７４において判断すると、現在時刻を認証時刻２８ｂとして上書き記憶して（Ｓ７５）、Ｓ７２を実行する。
【００５７】
ログアウト制御手段２９ｃは、利用者が認証されなかったとＳ７４において判断すると、認証時刻２８ｂから特定の時間以上経過したか否かを判断する（Ｓ７６）。ここで、特定の時間は、固定の時間でも良いし、ランダムな時間でも良い。
【００５８】
ログアウト制御手段２９ｃは、認証時刻２８ｂから特定の時間以上経過していないとＳ７６において判断すると、Ｓ７２の処理を実行する。
【００５９】
顔画像管理手段２９ｂは、認証時刻２８ｂから特定の時間以上経過したとＳ７６において判断されると、ログイン中の利用者の識別情報をサーバー３０に送信することによって、ログイン中の利用者の顔画像をサーバー３０から削除する（Ｓ７７）。サーバー３０の制御部３５は、画像形成装置２０から削除が指示された顔画像３４ｂ、すなわち、Ｓ７７において画像形成装置２０から送信されてきた識別情報と関連付けて記憶している顔画像３４ｂを記憶部３４から削除する。
【００６０】
ログアウト制御手段２９ｃは、Ｓ７７の処理の後、ログイン中の利用者をログアウトして（Ｓ７８）、図５の動作を終了する。
【００６１】
以上に説明したように、ログインログアウトシステム１０は、Ｓ５４において許可したログインに関連する特定のタイミングでカメラ２７によって撮影された顔画像と、カメラ２７によって都度撮影された顔画像とに基づいたＳ７３における顔認証によって利用者が認証されなくなった場合（Ｓ７４でＮＯ）に、利用者をログアウトする（Ｓ７８）ので、Ｓ５４において許可したログインに関連する特定のタイミングから短期間で利用者の外観が大幅に変化しなければ、利用者を不必要にログアウトしない。したがって、ログインログアウトシステム１０は、自動ログアウトの適切性を向上することができる。
【００６２】
ログインログアウトシステム１０は、カメラ２７によって撮影された顔画像に基づいた顔認証以外の認証方法によって利用者が認証された場合（Ｓ５３でＹＥＳ）に、利用者のログインを許可する（Ｓ５４）。この構成により、ログインログアウトシステム１０は、ログインのための顔画像を記憶する必要がないので、ログインのための顔画像を事前に記憶させる作業負担を無くしたり、ログインのための顔画像が流出するというセキュリティー上のリスクを無くしたり、ログインのための顔画像を記憶するために必要な記憶容量を削減したりすることができる。
【００６３】
なお、ログインログアウトシステム１０は、カメラ２７によって撮影された顔画像に基づいた顔認証によって利用者が認証された場合に、利用者のログインを許可しても良い。
【００６４】
ログインログアウトシステム１０は、ログアウトのためにサーバー３０の記憶部３４に記憶された顔画像３４ｂをログアウトによってサーバー３０の記憶部３４から削除する（Ｓ７７）ので、ログアウトのためにサーバー３０の記憶部３４に記憶された顔画像３４ｂが流出するというセキュリティー上のリスクを軽減したり、ログアウトのための顔画像３４ｂを記憶するためにサーバー３０の記憶部３４に必要な記憶容量をログアウト後に削減したりすることができる。
【００６５】
なお、ログインログアウトシステム１０は、ログアウトのためにサーバー３０の記憶部３４に記憶された顔画像３４ｂをログアウトによってサーバー３０の記憶部３４から削除しなくても良い。
【００６６】
ログインログアウトシステム１０は、許可したログインに関連する特定のタイミングでカメラ２７によって撮影された顔画像と、カメラ２７によって都度撮影された顔画像とに基づいた顔認証によって利用者が認証されなくなっても（Ｓ７４でＮＯ）、認証されなくなった時間が特定の時間未満であれば（Ｓ７６でＮＯ）、利用者をログアウトしないので、利便性を向上することができる。例えば、ログインログアウトシステム１０は、画像形成装置２０にログイン中の利用者が短時間だけ画像形成装置２０から離れる場合に、利用者をログアウトする可能性を低減することができるので、利便性を向上することができる。
【００６７】
なお、画像形成装置２０にエラーが発生している場合には、画像形成装置２０にログイン中の利用者は、画像形成装置２０に発生しているエラーの対応のために、カメラ２７の撮影範囲外に出る可能性が高い。したがって、ログインログアウトシステム１０は、許可したログインに関連する特定のタイミングでカメラ２７によって撮影された顔画像と、カメラ２７によって都度撮影された顔画像とに基づいた顔認証によって利用者が特定の時間以上認証されなくなったとしても、画像形成装置２０にエラーが発生している場合には、利用者をログアウトしなくても良い。例えば、画像形成装置２０は、画像形成装置２０にエラーが発生している場合に、利用者が認証されなかったとＳ７４において判断すると、Ｓ７６を実行せずに図５に示す動作を一旦停止し、その後、エラーが解消されたときに、「図５に示す動作を一旦停止してからエラーが解消されるまでの時間」を現在の特定の時間に加算した後で、認証時刻２８ｂから特定の時間以上経過したか否かをＳ７６において判断しても良い。
【００６８】
ログインログアウトシステム１０は、画像形成装置２０の上述した機能の少なくとも一部がサーバー３０で実現されても良い。例えば、顔認証は、サーバー３０によって実行されても良い。例えば、図５に示すＳ７２において、画像形成装置２０のログアウト制御手段２９ｃが顔画像を取得した後、通信部２６を介して顔画像をサーバー３０に送信する。サーバー３０の制御部３５は、画像形成装置２０から顔画像を取得すると、Ｓ７３と同様の処理を実行し、通信部３３を介して顔認証の結果を画像形成装置２０に送信する。画像形成装置２０の制御部２９は、サーバー３０から顔認証の結果を取得すると、Ｓ７４以降の処理を実行する。なお、顔認証がサーバー３０によって実行される場合、Ｓ７１の処理を省略することができる。
【００６９】
ログインログアウトシステム１０は、サーバー３０の上述した機能の少なくとも一部が画像形成装置２０で実現されても良い。例えば、画像形成装置２０は、許可したログインに関連する特定のタイミングでカメラ２７によって撮影された顔画像を、記憶部２８に記憶しても良い。なお、ログインログアウトシステム１０は、画像形成装置２０がサーバー３０の上述した機能の全部を実現する場合、サーバー３０を備えなくても良い。
【００７０】
ログインログアウトシステム１０は、本実施の形態において、ログイン時の認証と、顔画像の記憶とを１つのサーバー３０によって実現している。しかしながら、ログインログアウトシステム１０は、ログイン時の認証と、顔画像の記憶とを異なるコンピューターによって実現しても良い。
【００７１】
ログインログアウトシステム１０は、本実施の形態において画像形成装置２０がカメラを備えているが、画像形成装置２０とは別にカメラを備えても良い。
【００７２】
本発明の電子機器は、本実施の形態において画像形成装置であるが、ＰＣなど、画像形成装置以外の電子機器であっても良い。
【符号の説明】
【００７３】
１０  ログインログアウトシステム
２０  画像形成装置（電子機器、コンピューター）
２７  カメラ
２８  記憶部（記憶デバイス）
２８ａ  ログインログアウトプログラム
２９ａ  ログイン制御手段
２９ｂ  顔画像管理手段
２９ｃ  ログアウト制御手段
３４  記憶部（記憶デバイス）
３４ｂ  顔画像
【図１】
2019028719.tif 000003
【図２】
2019028719.tif 000004
【図３】
2019028719.tif 000005
【図４】
2019028719.tif 000006
【図５】
2019028719.tif 000007